(57)【特許請求の範囲】
【請求項１】
複数の換気装置の換気量を制御する制御装置であって、
前記複数の換気装置によって換気される複数のエリアのそれぞれにおける音の大きさを示す第１の情報と、前記複数のエリアのそれぞれにおける臭気の強さと前記複数のエリアのそれぞれに人が存在しているか否かとのうちの少なくとも一方を示す第２の情報と、を取得する情報取得手段と、
前記複数のエリアのそれぞれについて、前記第２の情報が特定の条件を満たしている場合、前記換気量を第１の規定量に制御し、前記第２の情報が前記特定の条件を満たしていない場合において、前記音の大きさが第２の閾値より大きければ、前記換気量を前記第１の規定量に設定し、前記音の大きさが前記第２の閾値より小さければ、前記音の大きさが小さいほど前記換気量を減少させる換気制御手段と、を備え、
前記換気制御手段は、前記複数のエリアの換気量の和が第２の規定量より小さい場合、前記複数のエリアのうちの、前記人が存在していない少なくとも１つのエリアの換気量を増加させる、制御装置。
【請求項２】
前記情報取得手段は、前記第２の情報として、前記複数のエリアのそれぞれにおける前記臭気の強さを示す臭気情報を取得し、
前記特定の条件は、前記臭気の強さが第１の閾値より大きい場合に、満たされる、
請求項１に記載の制御装置。
【請求項３】
前記情報取得手段は、前記第２の情報として、前記複数のエリアのそれぞれに前記人が存在しているか否かを示す在否情報を取得し、
前記特定の条件は、前記在否情報により前記人が存在していないことが示される場合に、満たされる、
請求項１又は２に記載の制御装置。
【請求項４】
前記情報取得手段は、前記在否情報として、前記複数のエリアのそれぞれに設けられた視聴装置が稼働しているか否かを示す稼働情報を取得し、
前記視聴装置が稼働している場合に、前記複数のエリアのうちの前記視聴装置が稼働しているエリアに前記人が存在していると判定する在否判定手段、を更に備える、
請求項３に記載の制御装置。
【請求項５】
前記第２の閾値の入力を受け付ける入力受付手段、を更に備える、
請求項１から４のいずれか１項に記載の制御装置。
【請求項６】
前記複数のエリアのそれぞれにおける前記音が、第１の種類の音であるか第２の種類の音であるかを識別する音識別手段、を更に備える、
請求項１から５のいずれか１項に記載の制御装置。
【請求項７】
前記換気制御手段は、前記複数のエリアのうちのいずれかのエリアにおける前記第２の情報が前記特定の条件を満たしていない場合において、前記音識別手段によって該エリアにおける前記音が前記第１の種類の音であると識別されたときには、該エリアの換気に伴って生じる音の大きさが該エリアにおける前記音の大きさよりも第１の大きさだけ小さくなる量に、該エリアの換気量を設定し、前記音識別手段によって該エリアにおける前記音が前記第２の種類の音であると識別されたときには、該エリアの換気に伴って生じる音の大きさが該エリアにおける前記音の大きさよりも第２の大きさだけ小さくなる量に、該エリアの換気量を設定し、
前記第１の大きさは、前記第２の大きさより大きい、
請求項６に記載の制御装置。
【請求項８】
前記複数のエリアのそれぞれについて、現時点から規定時間後における前記第１の種類の音の大きさを予測する予測手段、を更に備え、
前記換気制御手段は、前記複数のエリアのそれぞれについて、前記予測手段によって予測された前記第１の種類の音の大きさが規定の閾値より大きい場合、前記現時点から前記規定時間が経過するまでの間、前記換気量を増加させる、
請求項６又は７に記載の制御装置。
【請求項９】
前記音識別手段によって識別された結果に基づいて、前記複数のエリアのそれぞれに優先度を設定する優先度設定手段、を更に備え、
前記換気制御手段は、前記複数のエリアの換気量の和が前記第２の規定量より小さい場合、前記和が前記第２の規定量より大きくなるまで、前記複数のエリアのうちの、前記優先度が低い換気エリアから順に、換気量を予め定められた量ずつ増加させる、
請求項６から８のいずれか１項に記載の制御装置。
【請求項１０】
前記換気制御手段は、前記複数のエリアのそれぞれについて、現時点より前の期間における前記換気量の実績値と、前記現時点より後の期間における前記換気量の予測値と、に応じて、前記換気量を調整する、
請求項１から９のいずれか１項に記載の制御装置。
【請求項１１】
請求項１から１０のいずれか１項に記載の制御装置と、前記複数の換気装置と、を備える、換気システム。
【請求項１２】
前記複数の換気装置を備える換気システムであって、
前記複数の換気装置のうちの少なくとも１つは、請求項１から１０のいずれか１項に記載の制御装置を備える、換気システム。
【請求項１３】
換気対象の複数のエリアのそれぞれにおける音の大きさを示す第１の情報と、前記複数のエリアのそれぞれにおける臭気の強さと前記複数のエリアのそれぞれに人が存在しているか否かとのうちの少なくとも一方を示す第２の情報と、を取得し、
前記複数のエリアのそれぞれについて、前記第２の情報が特定の条件を満たしている場合、換気量を第１の規定量に制御し、前記第２の情報が前記特定の条件を満たしていない場合において、前記音の大きさが第２の閾値より大きければ、前記換気量を前記第１の規定量に設定し、前記音の大きさが前記第２の閾値より小さければ、前記音の大きさが小さいほど前記換気量を減少させ、
前記複数のエリアの換気量の和が第２の規定量より小さい場合、前記複数のエリアのうちの、前記人が存在していない少なくとも１つのエリアの換気量を増加させる、換気方法。
【請求項１４】
コンピュータを、
換気対象の複数のエリアのそれぞれにおける音の大きさを示す第１の情報と、前記複数のエリアのそれぞれにおける臭気の強さと前記複数のエリアのそれぞれに人が存在しているか否かとのうちの少なくとも一方を示す第２の情報と、を取得する情報取得手段、
前記複数のエリアのそれぞれについて、前記第２の情報が特定の条件を満たしている場合、換気量を第１の規定量に制御し、前記第２の情報が前記特定の条件を満たしていない場合において、前記音の大きさが第２の閾値より大きければ、前記換気量を前記第１の規定量に設定し、前記音の大きさが前記第２の閾値より小さければ、前記音の大きさが小さいほど前記換気量を減少させる換気制御手段、として機能させ、
前記換気制御手段は、前記複数のエリアの換気量の和が第２の規定量より小さい場合、前記複数のエリアのうちの、前記人が存在していない少なくとも１つのエリアの換気量を増加させる、プログラム。
【発明の詳細な説明】
【技術分野】
【０００１】
本発明は、制御装置、換気システム、換気方法及びプログラムに関する。
【背景技術】
【０００２】
換気に伴って生じる音による不快感を抑制する技術が知られている。【０００３】
例えば、特許文献１は、換気扇の騒音を抑制する技術を開示している。具体的に説明すると、特許文献１に開示された換気扇は、換気扇の騒音が周囲の騒音よりも低くなるように運転状態を制御する。これにより、換気扇の運転中に周囲が静かになった場合、周囲の騒音の低下に応じて換気扇の騒音も低下するため、換気扇の騒音が騒がしいということを抑えることができる。
【先行技術文献】
【特許文献】
【０００４】
【特許文献１】特開平１−５４１７号公報
【発明の概要】
【発明が解決しようとする課題】
【０００５】
しかしながら、特許文献１に開示された技術では、周囲の騒音が低下すると換気量を低下させるため、換気量が不足するおそれがある。そのため、換気に伴って生じる音による不快感を抑制することはできても、換気量の不足による不快感が高まるとの課題がある。【０００６】
本発明は、上述のような課題を解決するためになされたものであり、換気量の不足を抑制しつつ、換気に伴って生じる音による不快感を抑制することが可能な制御装置等を提供することを目的とする。
【課題を解決するための手段】
【０００７】
上記目的を達成するため、本発明に係る制御装置は、
複数の換気装置の換気量を制御する制御装置であって、
前記複数の換気装置によって換気される複数のエリアのそれぞれにおける音の大きさを示す第１の情報と、前記複数のエリアのそれぞれにおける臭気の強さと前記複数のエリアのそれぞれに人が存在しているか否かとのうちの少なくとも一方を示す第２の情報と、を取得する情報取得手段と、
前記複数のエリアのそれぞれについて、前記第２の情報が特定の条件を満たしている場合、前記換気量を第１の規定量に制御し、前記第２の情報が前記特定の条件を満たしていない場合において、前記音の大きさが第２の閾値より大きければ、前記換気量を前記第１の規定量に設定し、前記音の大きさが前記第２の閾値より小さければ、前記音の大きさが小さいほど前記換気量を減少させる換気制御手段と、を備え、
前記換気制御手段は、前記複数のエリアの換気量の和が第２の規定量より小さい場合、前記複数のエリアのうちの、前記人が存在していない少なくとも１つのエリアの換気量を増加させる。
【発明の効果】
【０００８】
本発明によれば、換気装置によって換気されるエリアにおける音の大きさを示す第１の情報と、当該エリアにおける臭気の強さと当該エリアに人が存在しているか否かとのうちの少なくとも一方を示す第２の情報と、を取得し、第２の情報が特定の条件を満たしている場合、換気量を第１の規定量に制御し、第２の情報が特定の条件を満たしていない場合において、音の大きさが第２の閾値より大きければ、換気量を第１の規定量に設定し、音の大きさが第２の閾値より小さければ、音の大きさが小さいほど換気量を減少させる。従って、本発明によれば、換気量の不足を抑制しつつ、換気に伴って生じる音による不快感を抑制することができる。
【図面の簡単な説明】
【０００９】
【図１】本発明の実施の形態１に係る換気システムの全体構成の概略図
【図２】実施の形態１に係る換気システムが適用される住宅の平面図
【図３】実施の形態１に係る換気装置のハードウェア構成を示すブロック図
【図４】実施の形態１に係る制御装置のハードウェア構成を示すブロック図
【図５】実施の形態１に係る換気システムの機能構成を示すブロック図
【図６】実施の形態１におけるエリア記憶部に記憶された情報の例を示す図
【図７】実施の形態１における臭気の強さと人の在否と換気量との関係を示す図
【図８】実施の形態１における音の大きさと換気量との関係を示す図
【図９】実施の形態１における報知画像の例を示す図
【図１０】実施の形態１に係る制御装置によって実行される在否判定処理の流れを示すフローチャート
【図１１】実施の形態１に係る制御装置によって実行される換気制御処理の流れを示すフローチャート
【図１２】本発明の実施の形態２に係る換気システムの機能構成を示すブロック図
【図１３】実施の形態２における第１の種類の音の大きさの時間変化の例を示す図
【図１４】実施の形態２における換気量の時間変化の例を示す図
【図１５】実施の形態２に係る制御装置によって実行される換気制御処理の流れを示すフローチャート
【図１６】本発明の第１の変形例における換気システムの全体構成の概略図
【図１７】本発明の第２の変形例における換気システムの全体構成の概略図
【発明を実施するための形態】
【００１０】
以下、本発明の実施の形態について、図面を参照しながら詳細に説明する。なお、図中同一又は相当部分には同一符号を付す。
【００１１】
（実施の形態１）
図１を参照して、本発明の実施の形態１に係る換気システム１について説明する。換気システム１は、換気対象のエリアを換気するシステムである。換気とは、換気対象のエリア内の空気環境を維持又は改善するために、当該エリア内の空気を当該エリア外の空気と入れ替えることを意味する。以下では、換気対象のエリアを「換気エリア」と呼ぶ。
【００１２】
図１に示すように、換気システム１は、家屋Ｈに設置される。家屋Ｈは、一例として、いわゆる一般的な戸建て住宅である。換気システム１は、家屋Ｈ内の換気エリアを換気する複数の換気装置２０ａ，２０ｂ，…と、人によって視聴される複数の視聴装置４０ａ，４０ｂ，…と、システム全体を制御する制御装置５０と、を備える。また、換気システム１は、それぞれ換気エリアの環境に関する情報を検知するセンサである、複数の音センサ３１ａ，３１ｂ，…、複数の臭気センサ３２ａ，３２ｂ，…、及び、複数の人感センサ３３ａ，３３ｂ，…を備える。
【００１３】
これら各装置及び各センサは、家屋Ｈ内又は家屋Ｈの敷地内に設置されており、宅内ネットワークＮ１を介して通信可能に接続されている。宅内ネットワークＮ１は、例えばエコーネットライト（ECHONET Lite）に準じたネットワークである。また、各装置及び各センサは、図示しない商用電源、太陽光発電設備、蓄電設備等から電力の供給を得て動作する。
【００１４】
図２に、家屋Ｈの平面図を示す。図２に示すように、家屋Ｈは、１つのフロアに、リビング、ダイニング、キッチン、寝室、子供部屋、玄関、廊下、浴室、トイレ等の部屋及び空間を備えている。以下では、リビングとダイニングとキッチンとを合わせて「ＬＤＫ」と呼ぶ。これら部屋及び空間は、図２において斜線を付して示している扉によって、行き来可能に接続されている。なお、家屋Ｈは、図２に示した部屋又は空間以外にも、別のフロアに別の部屋及び空間を備えていても良い。各装置及び各センサは、このような部屋及び空間内の適宜の場所に設置されている。
【００１５】
換気装置２０ａ，２０ｂ，…は、家屋Ｈ内の換気エリアを換気する設備である。換気装置２０ａ，２０ｂ，…のそれぞれは、例えば、換気扇、全熱交換器、カウンターアローファン、レンジフード、バス乾燥機、又は、中間取付ファンである。換気装置２０ａ，２０ｂ，…のそれぞれは、家屋Ｈの壁、天井等、換気エリアを換気可能な位置に設置される。なお、換気装置２０ａ，２０ｂ，…のそれぞれは、ダクトを介して空気を送る方式の設備であっても良いし、外壁に直接取り付けられ、ダクトを介さずに空気を送る方式の設備であっても良い。また、換気装置２０ａ，２０ｂ，…のそれぞれは、給気及び排気の両方の機能を備えていても良いし、給気及び換気のどちらか一方だけの機能を備えていても良い。
【００１６】
図２の例では、リビングとキッチンと寝室と子供部屋と浴室とに、それぞれ換気装置２０ａ〜２０ｅが設置されている。換気装置２０ａ〜２０ｅは、それぞれ設置されたエリアを換気する。例えば、換気装置２０ａ，２０ｃ，２０ｄは、屋外の新鮮な空気を、それぞれリビング、寝室及び子供部屋に供給する。また、換気装置２０ｂ，２０ｅは、それぞれキッチン及び浴室の空気を、屋外に排出する。このように、換気装置２０ａ〜２０ｅのそれぞれが、自装置が設置された換気エリアを換気することによって、家屋Ｈ全体が換気される。以下、換気装置２０ａ，２０ｂ，…のそれぞれを区別せずに称する場合には、換気装置２０と総称する。
【００１７】
図３に示すように、換気装置２０（２０ａ，２０ｂ，…）のそれぞれは、制御部２１と、記憶部２２と、計時部２３と、通信部２４と、換気部２５と、を備える。これら各部はバス２９を介して接続されている。
【００１８】
制御部２１は、いずれも図示しないが、ＣＰＵ（Central Processing Unit）、ＲＯＭ（Read Only Memory）及びＲＡＭ（Random Access Memory）を備える。ＣＰＵは、中央処理装置、中央演算装置、プロセッサ、マイクロプロセッサ、マイクロコンピュータ又はＤＳＰ（Digital Signal Processor）ともいう。制御部２１において、ＣＰＵは、ＲＯＭに格納されたプログラム及びデータを読み出し、ＲＡＭをワークエリアとして用いて、換気装置２０を統括制御する。
【００１９】
記憶部２２は、例えば、フラッシュメモリ、ＥＰＲＯＭ（Erasable Programmable ROM）、ＥＥＰＲＯＭ（Electrically Erasable Programmable ROM）等の不揮発性の半導体メモリであって、いわゆる二次記憶装置（補助記憶装置）としての役割を担う。記憶部２２は、この換気装置２０を識別するための識別情報、制御装置５０と通信するためのプログラム及びデータ、並びに、換気部２５を制御するためのプログラム及びデータを記憶する。
【００２０】
計時部２３は、ＲＴＣ（Real Time Clock）を備えており、換気装置２０の電源がオフの間も計時を継続する計時デバイスである。
【００２１】
通信部２４は、宅内ネットワークＮ１に接続し、宅内ネットワークＮ１を介して制御装置５０と通信するための通信インタフェースを備える。具体的に説明すると、通信部２４は、制御装置５０から換気装置２０の運転指令を取得する。制御部２１は、受信した運転指令に従って換気部２５を制御して、換気を開始又は停止させる。また、通信部２４は、換気部２５による現在の換気量を制御装置５０に通知する。
【００２２】
換気部２５は、換気装置２０の本来的な機能を実現するための構成部であって、換気エリアを換気する換気手段として機能する。具体的に説明すると、換気部２５は、何れも図示しないが、ファン、モータ、及び、モータ駆動回路を備える。モータ駆動回路は、通信部２４により受信された制御装置５０からの制御データに基づいて、モータを駆動させる。これにより、モータは、回転軸を介して接続するファンを回転させる。ファンが回転すると、屋外の空気が家屋Ｈ内に取り込まれて、又は、家屋Ｈ内の空気が屋外へ排出される。
【００２３】
音センサ３１ａ，３１ｂ，…は、マイクロフォンともいい、音を検知するセンサである。音とは、会話、音声、音楽、騒音、雑音等、人の聴覚を刺激するものである。音センサ３１ａ，３１ｂ，…は、空気の振動を検知する振動検知部と、検知した振動を電気信号に変換する変換部と、を備えており、周知の方式で音の大きさを検知する。音の大きさは、音圧レベルとも呼ばれ、デシベル（ｄＢ）の単位で表される。
【００２４】
図２の例では、リビング、寝室及び子供部屋に、それぞれ音センサ３１ａ〜３１ｃが設置されている。音センサ３１ａ〜３１ｃは、それぞれ、リビング、寝室及び子供部屋で聞こえる音を検知する。音センサ３１ａ〜３１ｃによって検知される音は、家屋Ｈの内部から発生した生活音と、家屋Ｈの外部から発生した環境音と、を含む。以下、音センサ３１ａ，３１ｂ，…のそれぞれを区別せずに称する場合には、音センサ３１と総称する。
【００２５】
臭気センサ３２ａ，３２ｂ，…は、臭気を検知するセンサである。臭気とは、例えば、食べ物、煙、排水、ペット等から発生し、空気中を漂って人の臭覚を刺激するものである。臭気は、匂い、香り、悪臭等を含む。臭気センサ３２ａ，３２ｂ，…は、半導体式、水晶振動子式等のような周知の方式で、キッチンにおける臭気の強さを検知する。臭気の強さは、臭気レベルとも呼ばれ、空気中における臭気の元となる物質の濃度で表される。
【００２６】
図２の例では、キッチンに臭気センサ３２ａが設置されている。臭気センサ３２ａは、キッチンでの料理の際に発生した匂い、キッチンに置かれた飲食物から発生した匂い等を検知する。なお、家屋Ｈ内には、臭気センサ３２ａ以外にも、図２に示したフロアとは別のフロアに、臭気センサ３２ｂ，…が設置されていても良い。以下、臭気センサ３２ａ，３２ｂ，…のそれぞれを区別せずに称する場合には、臭気センサ３２と総称する。
【００２７】
人感センサ３３ａ，３３ｂ，…は、人の存在を検知する人感センサである。人とは、例えば、家屋Ｈの居住者又は所有者である。人感センサ３３ａ，３３ｂ，…は、一例として、赤外線を介して周囲の温度変化を検知することによって、周囲に人が存在しているか否かを検知する赤外線センサである。或いは、人感センサ３３ａ，３３ｂ，…は、周囲の画像を撮影し、撮影した画像を解析することによって、周囲に人が存在しているか否かを検知する画像センサであっても良い。
【００２８】
図２の例では、リビング及び寝室に、それぞれ人感センサ３３ａ，３３ｂが設置されている。人感センサ３３ａ，３３ｂは、それぞれ、リビング及び寝室に人が存在しているか否かを検知する。以下、人感センサ３３ａ，３３ｂ，…のそれぞれを区別せずに称する場合には、人感センサ３３と総称する。
【００２９】
音センサ３１（３１ａ，３１ｂ，…）、臭気センサ３２（３２ａ，３２ｂ，…）、及び、人感センサ３３（３３ａ，３３ｂ，…）のそれぞれは、いずれも図示しないが、ＣＰＵ、ＲＯＭ、ＲＡＭ、通信インタフェース及び読み書き可能な不揮発性の半導体メモリを備える。これら各センサは、通信インタフェースを介して宅内ネットワークＮ１と接続されており、宅内ネットワークＮ１を介して、検知結果を示す検知情報を制御装置５０に送信する。
【００３０】
視聴装置４０ａ，４０ｂ，…は、人によって視聴される装置である。視聴装置４０ａ，４０ｂ，…のそれぞれは、例えば、テレビ、オーディオプレイヤ、ラジカセ等のような、人が見る又は聞くことによって利用する装置である。
【００３１】
図２の例では、リビング及び子供部屋に、それぞれ視聴装置４０ａ，４０ｂが設置されている。リビング又は子供部屋に居る人は、操作部を操作して、視聴装置４０ａ又は視聴装置４０ｂの稼働を開始又は停止させることができる。以下、視聴装置４０ａ，４０ｂ，…のそれぞれを区別せずに称する場合には、視聴装置４０と総称する。
【００３２】
視聴装置４０（４０ａ，４０ｂ，…）のそれぞれは、いずれも図示しないが、ＣＰＵ、ＲＯＭ、ＲＡＭ、通信インタフェース及び読み書き可能な不揮発性の半導体メモリを備える。ＣＰＵは、ＲＡＭをワークメモリとして用いながらＲＯＭに格納された制御プログラムを実行することにより、視聴装置４０の動作を制御する。ＣＰＵは、視聴装置４０が稼働しているか否かを示す稼働情報を、宅内ネットワークＮ１を介して制御装置５０に送信する。
【００３３】
制御装置５０は、家屋Ｈ内に設置された各装置から宅内ネットワークＮ１を介して送信される情報を収集する情報収集ユニットである。制御装置５０は、一例として、家屋Ｈ内に設置された各装置を統合的に制御することが可能なＨＥＭＳ（Home Energy Management System）コントローラである。制御装置５０は、各装置から収集した情報に基づいて、複数の換気装置２０のそれぞれの換気量を制御する。
【００３４】
図４に示すように、制御装置５０は、制御部５１と、記憶部５２と、ユーザインタフェース５３と、計時部５４と、宅内通信部５５と、宅外通信部５６と、を備える。これら各部はバス５９を介して接続されている。
【００３５】
制御部５１は、いずれも図示しないが、ＣＰＵ、ＲＯＭ及びＲＡＭを備える。ＣＰＵは、中央処理装置、中央演算装置、プロセッサ、マイクロプロセッサ、マイクロコンピュータ又はＤＳＰともいう。制御部５１において、ＣＰＵは、ＲＯＭに格納されたプログラム及びデータを読み出し、ＲＡＭをワークエリアとして用いて、制御装置５０を統括制御する。
【００３６】
記憶部５２は、例えば、フラッシュメモリ、ＥＰＲＯＭ、ＥＥＰＲＯＭ等の不揮発性の半導体メモリであって、いわゆる二次記憶装置又は補助記憶装置としての役割を担う。記憶部５２は、制御部５１が各種処理を行うために使用するプログラム及びデータ、並びに、制御部５１が各種処理を行うことにより生成又は取得するデータを記憶する。
【００３７】
ユーザインタフェース５３は、表示部５７と入力部５８とを備える。表示部５７は、ＬＣＤ（Liquid Crystal Display）パネル、有機ＥＬ、ＬＥＤ（Light Emitting Diode）等の表示デバイスである。入力部５８は、タッチパネル、タッチパッド、スイッチ、押圧ボタン等の入力デバイスである。ユーザインタフェース５３は、入力部５８を介してユーザから操作を受け付け、また、表示部５７を介して表示画像を表示する。なお、表示部５７と入力部５８とは、これらが互いに重畳して配置されたタッチパネル又はタッチスクリーンとして構成されるものであってもよい。
【００３８】
計時部５４は、ＲＴＣを備えており、制御装置５０の電源がオフの間も計時を継続する計時デバイスである。
【００３９】
宅内通信部５５は、宅内ネットワークＮ１に接続し、宅内ネットワークＮ１を介して家屋Ｈ内の機器と通信するための通信インタフェースを備える。宅内通信部５５は、制御部５１の制御のもと、宅内ネットワークＮ１を介して、複数の換気装置２０、複数のセンサ３１，３２，３３、及び、複数の視聴装置４０のそれぞれと通信する。
【００４０】
宅外通信部５６は、インターネット等の広域ネットワークに接続し、広域ネットワークを介して家屋Ｈの外部の機器と通信するための通信インタフェースを備える。
【００４１】
次に、図５を参照して、換気システム１の機能的な構成について説明する。図５に示すように、制御装置５０は、機能的に、情報取得部５１０と、在否判定部５２０と、換気制御部５３０と、入力受付部５５０と、報知部５６０と、を備える。これらの各機能は、ソフトウェア、ファームウェア、又は、ソフトウェアとファームウェアとの組み合わせによって実現される。ソフトウェア及びファームウェアは、プログラムとして記述され、ＲＯＭ又は記憶部５２に記憶される。そして、制御部５１において、ＣＰＵが、ＲＯＭ又は記憶部５２に記憶されたプログラムを実行することによって、各機能を実現する。
【００４２】
情報取得部５１０は、複数の換気エリアのそれぞれについて、換気エリアにおける音の大きさを示す第１の情報と、換気エリアにおける臭気の強さと換気エリアに人が存在しているか否かとのうちの少なくとも一方を示す第２の情報と、を取得する。情報取得部５１０は、制御部５１が、宅内通信部５５と協働することによって実現される。情報取得部５１０は、情報取得手段として機能する。
【００４３】
第１に、情報取得部５１０は、第１の換気エリアにおける音の大きさを示す第１の情報と、第１の換気エリアにおける臭気の強さと第１の換気エリアに人が存在しているか否かとのうちの少なくとも一方を示す第２の情報と、を取得する。第１の換気エリアとは、家屋Ｈ内の複数の換気エリアであるＬＤＫ、寝室、子供部屋及び浴室のうちの１つである。以下では、第１の換気エリアとして、ＬＤＫを例にとって説明する。
【００４４】
情報取得部５１０は、第１の情報として、ＬＤＫにおける音の大きさを示す音情報を取得する。ＬＤＫにおける音とは、リビング内での会話、リビング外で発生してリビングまで伝わった騒音等である。ＬＤＫにおける音の大きさは、リビングに設置された音センサ３１ａによって検知される。
【００４５】
情報取得部５１０は、第２の情報として、ＬＤＫにおける臭気の強さを示す臭気情報と、ＬＤＫに人が存在しているか否かを示す在否情報と、を取得する。ＬＤＫにおける臭気とは、例えばキッチンでの料理の際に発生した匂い、キッチンに置かれた飲食物から発生した匂い等である。ＬＤＫにおける臭気の強さは、キッチンに設置された臭気センサ３２ａによって検知される。
【００４６】
ＬＤＫに人が存在しているか否かは、リビングに設置された人感センサ３３ａと視聴装置４０ａとによって検知される。人感センサ３３ａは、人感センサ３３ａで検知可能な範囲内に人が居る場合、その存在を直接的に検知することができる。また、視聴装置４０ａが稼働している場合、通常、視聴装置４０ａを視聴している人が周囲に居ることが推定される。そのため、情報取得部５１０は、ＬＤＫにおける人の在否を示す在否情報として、人感センサ３３ａによる検知情報と視聴装置４０ａの稼働情報とをどちらも取得する。
【００４７】
更に、情報取得部５１０は、第２、第３の換気エリアについても、音の大きさを示す第１の情報と、臭気の強さと人が存在しているか否かとのうちの少なくとも一方を示す第２の情報と、を取得する。以下では、第２、第３の換気エリアとして、それぞれ寝室及び子供部屋を例にとって説明する。
【００４８】
情報取得部５１０は、第２の換気エリアにおける第１の情報として、寝室における音の大きさを示す音情報を、音センサ３１ｂから取得する。また、情報取得部５１０は、第２の換気エリアにおける第２の情報として、寝室に人が存在しているか否かを示す在否情報を、人感センサ３３ｂから取得する。
【００４９】
情報取得部５１０は、第３の換気エリアにおける第１の情報として、子供部屋における音の大きさを示す音情報を、音センサ３１ｃから取得する。また、情報取得部５１０は、第３の換気エリアにおける第２の情報として、子供部屋に人が存在しているか否かを示す在否情報を、視聴装置４０ｂから取得する。
【００５０】
また、情報取得部５１０は、換気装置２０ａ〜２０ｅのそれぞれから、現在の換気量を示す換気情報を取得する。情報取得部５１０は、音センサ３１ａ〜３１ｃ、臭気センサ３２ａ、及び、人感センサ３３ａ，３３ｂによって得られた検知情報と、視聴装置４０ａ，４０ｂの稼働情報と、換気装置２０ａ〜２０ｅの換気情報とを、宅内ネットワークＮ１及び宅内通信部５５を介して取得する。各センサ及び各装置は、検知情報、稼働情報又は換気情報を、予め定められた周期で定期的に制御装置５０に送信する。予め定められた周期は、一例として、１０秒から数１０秒程度である。或いは、情報取得部５１０が必要に応じて各センサ及び各装置に要求を送信し、各センサ及び各装置がこの要求に応答する方式で、検知情報、稼働情報又は換気情報を制御装置５０に送信しても良い。
【００５１】
在否判定部５２０は、情報取得部５１０によって人感センサ３３から取得された検知情報、又は、情報取得部５１０によって視聴装置４０から取得された稼働情報に基づいて、換気エリアに人が存在しているか否かを判定する。在否判定部５２０は、制御部５１によって実現される。在否判定部５２０は、在否判定手段として機能する。
【００５２】
具体的に説明すると、在否判定部５２０は、人感センサ３３ａによって人の存在が検知された場合、ＬＤＫに人が存在していると判定する。また、在否判定部５２０は、視聴装置４０ａが稼働している場合にも、ＬＤＫに人が存在していると判定する。言い換えると、在否判定部５２０は、人感センサ３３ａによって直接的に人の存在が検知された場合だけでなく、視聴装置４０ａによって人の存在が間接的に検知された場合にも、ＬＤＫに人が存在していると判定する。
【００５３】
これに対して、寝室には、人感センサ３３ｂが設置されているが、視聴装置４０は設置されていない。そのため、在否判定部５２０は、寝室に人が存在しているか否かを、人感センサ３３ｂによって人が検知されたか否かのみに基づいて判定する。具体的に説明すると、在否判定部５２０は、人感センサ３３ｂによって人の存在が検知された場合、寝室に人が存在していると判定する。
【００５４】
また、子供部屋には、視聴装置４０ｂが設置されているが、人感センサ３３は設置されていない。そのため、在否判定部５２０は、子供部屋に人が存在しているか否かを、視聴装置４０ｂが稼働中であるか否かのみに基づいて判定する。具体的に説明すると、在否判定部５２０は、視聴装置４０ｂが稼働している場合、子供部屋に人が存在していると判定する。
【００５５】
図５に示すように、制御装置５０は、エリア記憶部５９０を備えている。エリア記憶部５９０は、複数の換気エリアに関する情報を記憶している。エリア記憶部５９０は、記憶部５２の記憶領域に構築される。エリア記憶部５９０は、エリア記憶手段として機能する。
【００５６】
図６に、エリア記憶部５９０に記憶されている情報の例を示す。図６に示すように、エリア記憶部５９０は、複数の換気エリアのそれぞれと、それぞれに設置されている装置及びセンサと、の対応関係を記憶している。複数の換気エリアに設置されている装置及びセンサの情報は、操作者が入力受付部５５０を介して入力することができる。また、後述する換気装置２０のエリア判定部２３０によって判定された結果を用いることもできる。
【００５７】
また、エリア記憶部５９０は、複数の換気エリアのそれぞれと、それぞれにおける音の大きさ、臭気の強さ、人の在否及び換気量と、の対応関係を記憶している。音の大きさ、臭気の強さ及び換気量は、それぞれ該当する換気エリアに設置されている音センサ３１、臭気センサ３２及び換気装置２０から取得される。また、人の在否は、人感センサ３３による検知情報又は視聴装置４０の稼働情報に基づいて、在否判定部５２０によって判定される。エリア記憶部５９０は、これらの情報が新たに取得される毎に、新たに取得された情報を記憶し、記憶内容を随時更新していく。
【００５８】
図５に示した換気システム１の機能構成の説明に戻る。換気制御部５３０は、エリア記憶部５９０に記憶された音情報、臭気情報又は在否情報に基づいて、複数の換気装置２０の換気量を制御する。換気制御部５３０は、宅内通信部５５及び宅内ネットワークＮ１を介して複数の換気装置２０のそれぞれと通信し、複数の換気装置２０のそれぞれに、必要に応じて、換気を開始又は停止する指令及び換気量を調整する指令を送信する。換気制御部５３０は、制御部５１が、宅内通信部５５と協働することによって実現される。換気制御部５３０は、換気制御手段として機能する。
【００５９】
換気制御部５３０は、情報取得部５１０によって取得された第２の情報が特定の条件を満たしているか否かを判定する。第２の情報は、換気エリアにおける臭気の強さを示す臭気情報と、換気エリアに人が存在しているか否かを示す在否情報と、のうちの少なくとも一方である。また、特定の条件とは、換気装置２０の換気量の制御の方法を決めるための条件である。特定の条件は、換気エリアにおける臭気の強さが第１の閾値Ｔｈ１より大きい場合、又は、換気エリアに人が存在していない場合に、満たされる。
【００６０】
具体的に説明すると、換気制御部５３０は、第１の換気エリアであるＬＤＫについて、ＬＤＫにおける臭気の強さが第１の閾値Ｔｈ１より大きいか否かを判定する。第１の閾値Ｔｈ１は、人が不快に感じるか否かの境界となる臭気の強さに相当する値であって、予め設定されてＲＯＭ又は記憶部５２に記憶されている。臭気の感じ方には個人差があるが、第１の閾値Ｔｈ１は、臭気の強さが第１の閾値Ｔｈ１より大きい場合に、一般的に多くの人が不快であると感じる強さに相当する値に設定される。
【００６１】
ＬＤＫにおける臭気の強さは、キッチンに設置された臭気センサ３２ａによって検知されて、エリア記憶部５９０に記憶されている。換気制御部５３０は、エリア記憶部５９０に記憶された臭気の強さを、予め設定された第１の閾値Ｔｈ１と比較して、臭気の強さが第１の閾値Ｔｈ１より大きいか否かを判定する。
【００６２】
判定の結果、ＬＤＫにおける臭気の強さが第１の閾値Ｔｈ１より大きいと判定された場合、換気制御部５３０は、ＬＤＫにおける音の大きさに依らずに、ＬＤＫに設置された換気装置２０ａ，２０ｂの換気量を制御する。また、換気制御部５３０は、ＬＤＫに人が存在していないと判定された場合にも、ＬＤＫにおける音の大きさに依らずに、ＬＤＫに設置された換気装置２０ａ，２０ｂの換気量を制御する。ＬＤＫに人が存在しているか否かについては、換気制御部５３０は、在否判定部５２０による判定の結果を参照する。
【００６３】
具体的には図７に示すように、換気制御部５３０は、換気装置２０ａ，２０ｂの換気量を設定する。図７に示すように、換気制御部５３０は、ＬＤＫに人が存在していない場合、換気装置２０ａ，２０ｂの換気量を、第１の規定量である必要量に設定する。また、換気制御部５３０は、ＬＤＫに人が存在していても、ＬＤＫにおける臭気の強さが第１の閾値Ｔｈ１より大きい場合、換気装置２０ａ，２０ｂの換気量を、第１の規定量である必要量に設定する。
【００６４】
必要量とは、換気エリアを換気するために必要な換気量であって、家屋Ｈ内に設置された複数の換気装置２０のそれぞれに規定された、周囲の音、臭気、人の在否等の環境に依存しない量である。各換気装置２０の必要量は、各換気装置２０によって換気される換気エリアの広さ、種類、用途等に応じて予め規定されている。具体的に説明すると、建物の換気量は、建物全体で０．５回／時間、すなわち単位時間当たりに家屋Ｈ内の半分の空気を入れ換えるように、法令で定められている。そのため、各換気装置２０の必要量は、各換気装置２０の必要量の和が家屋Ｈ全体での必要な換気量に相当するように、規定される。
【００６５】
人が存在していなければ、そもそも人の快適性を考慮する必要が無い。そのため、換気制御部５３０は、ＬＤＫに人が存在していない場合、換気装置２０ａ，２０ｂの換気量を必要量に設定し、ＬＤＫを必要なだけ換気する。
【００６６】
更に、人が存在していても、臭気の強さが第１の閾値Ｔｈ１より大きい場合、臭気によって人が不快に感じる可能性が高いため、換気エリアを十分に換気して臭気を抑制する必要がある。そのため、換気制御部５３０は、ＬＤＫにおける臭気の強さが第１の閾値Ｔｈ１より大きい場合、換気装置２０ａ，２０ｂの換気量を必要量に設定する。これにより、換気制御部５３０は、ＬＤＫ内の空気を十分に換気させる。
【００６７】
これに対して、情報取得部５１０によって取得された第２の情報が特定の条件を満たしていない場合、換気制御部５３０は、換気装置２０ａ，２０ｂの換気量を、ＬＤＫにおける音に応じて制御する。第２の情報が特定の条件を満たしていない場合とは、具体的には、ＬＤＫにおける臭気の強さが第１の閾値Ｔｈ１より小さく、且つ、ＬＤＫに人が存在している場合である。ＬＤＫにおける音の大きさは、リビングに設置された音センサ３１ａによって検知された環境音、生活音等の大きさであって、エリア記憶部５９０に記憶されている。換気制御部５３０は、第２の情報が特定の条件を満たしていない場合、エリア記憶部５９０に記憶されたＬＤＫにおける音の大きさを参照して、換気装置２０ａ，２０ｂの換気量を調整する。
【００６８】
図８に、第２の情報が特定の条件を満たしていない場合における、音の大きさと換気量との関係を示す。図８に示すように、換気制御部５３０は、換気装置２０ａ，２０ｂの換気音による不快感を抑制するため、ＬＤＫにおける音の大きさに応じて、換気装置２０ａ，２０ｂの制御の方法を変更する。換気音とは、例えばファンの回転音又は送風音のように、換気装置２０ａ，２０ｂの換気に伴って生じる音である。
【００６９】
具体的に説明すると、換気制御部５３０は、第２の情報が特定の条件を満たしていない場合において、ＬＤＫにおける音の大きさが第２の閾値Ｔｈ２より大きければ、換気装置２０ａ，２０ｂの換気量を必要量に設定する。この必要量は、第２の情報が特定の条件を満たしている場合に設定された、ＬＤＫを換気するために必要な換気量と同じである。第２の閾値Ｔｈ２は、人が騒がしいと感じるか否かの境界となる音の大きさに相当する値である。第２の閾値Ｔｈ２は、一例として、掃除機の運転音の大きさに相当する７０ｄＢ程度に設定されて、予めＲＯＭ又は記憶部５２に記憶されている。
【００７０】
人が騒がしいと感じるくらいＬＤＫにおける音が大きい場合、換気装置２０ａ，２０ｂの換気音は周囲の音と比較して小さいため、換気音が人に影響を与えることはほとんど無い。そのため、換気制御部５３０は、ＬＤＫにおける音が第２の閾値Ｔｈ２より大きい場合、換気装置２０ａ，２０ｂの換気量を必要量に設定して、ＬＤＫ内の空気を十分に換気させる。
【００７１】
これに対して、第２の情報が特定の条件を満たしていない場合において、ＬＤＫにおける音の大きさが第２の閾値Ｔｈ２より小さければ、換気制御部５３０は、ＬＤＫにおける音の大きさが小さいほど、換気装置２０ａ，２０ｂの換気量を減少させる。ＬＤＫにおける音が小さくなると、ＬＤＫにおける音の中で、換気装置２０ａ，２０ｂの換気音の割合が高くなるため、換気音が人に不快感を与える可能性が高くなる。そのため、換気制御部５３０は、ＬＤＫにおける音の大きさが第２の閾値Ｔｈ２より小さい場合、換気量を必要量よりも減少させる。
【００７２】
具体的に説明すると、換気制御部５３０は、換気装置２０ａ，２０ｂの換気量を、その換気音がＬＤＫにおける音の大きさよりも規定の大きさΔＬだけ小さくなる量に設定する。規定の大きさΔＬは、周囲の音に対する換気音の割合を制御するための値であって、デシベル（ｄＢ）の単位で設定されて、予めＲＯＭ又は記憶部５２に記憶されている。
【００７３】
換気制御部５３０は、ＬＤＫにおける音の大きさが第２の閾値Ｔｈ２より小さい場合、ＬＤＫにおける音の大きさを基準として、換気音がそれより規定の大きさΔＬだけ小さくなるように、換気装置２０ａ，２０ｂの換気量を調整する。これにより、換気装置２０ａ，２０ｂの換気音は、周囲の音にかき消されるため、ＬＤＫに居る人にとって気にならなくなる。
【００７４】
更に、換気制御部５３０は、図８に示すように、第２の情報が特定の条件を満たしていない場合において、ＬＤＫにおける音の大きさが第３の閾値Ｔｈ３より小さければ、換気装置２０ａ，２０ｂの換気量を最小量に設定する。最小量とは、家屋Ｈ内に設置された複数の換気装置２０のそれぞれに規定された量であって、各換気装置２０が設定可能な換気量の最小値である。換気装置２０によっては、最小値は０であっても良い。最小値が０である場合、換気量を最小量に設定することは、換気を停止することに相当する。
【００７５】
第３の閾値Ｔｈ３は、第２の閾値Ｔｈ２よりも小さい値であって、人が気にするか否かの境界となる音の大きさに相当する値である。第３の閾値Ｔｈ３は、一例として、小さな声又は空調機の運転音の大きさに相当する５０ｄＢ程度に設定されて、予めＲＯＭ又は記憶部５２に記憶されている。
【００７６】
人が気にならないくらいＬＤＫにおける音が小さい場合、ＬＤＫにおける音の中で、換気装置２０ａ，２０ｂの換気音が支配的になるため、換気音が人に不快感を与える可能性がより高くなる。そのため、換気制御部５３０は、ＬＤＫにおける音が第３の閾値Ｔｈ３より小さい場合、換気装置２０ａ，２０ｂの換気量を最小量に設定して、換気音を可能な限り小さくする。
【００７７】
換気制御部５３０は、第１の換気エリアであるＬＤＫについて実行したこのような換気制御処理を、第２の換気エリアである寝室、及び第３の換気エリアである子供部屋についても実行する。但し、第２の換気エリアである寝室、及び第３の換気エリアである子供部屋には、臭気センサ３２が設置されていない。そのため、換気制御部５３０は、臭気の強さを判定する処理を実行せず、換気エリアに人が存在していない場合に、特定の条件が満たされると判定する。
【００７８】
第２の換気エリアである寝室について具体的に説明する。換気制御部５３０は、寝室に人が存在していない場合、寝室に設置された換気装置２０ｃの換気量を、第１の規定量である必要量に設定する。これは、寝室に人が存在していなければ、人の快適性を考慮する必要が無いため、寝室を必要なだけ換気できるからである。寝室に人が存在しているか否かについては、換気制御部５３０は、在否判定部５２０による判定の結果を参照する。
【００７９】
これに対して、寝室に人が存在している場合、換気制御部５３０は、換気装置２０ｃの換気量を、寝室に設置された音センサ３１ｂによって検知された音に応じて制御する。具体的には図８に示したように、換気制御部５３０は、寝室における音の大きさが小さいほど、換気装置２０ｃの換気量を減少させる。換気量の制御の方法は、ＬＤＫにおける臭気の強さが第１の閾値Ｔｈ１より小さく、且つ、ＬＤＫに人が存在している場合と同様である。
【００８０】
第３の換気エリアである子供部屋についても同様である。換気制御部５３０は、子供部屋に人が存在していない場合、子供部屋に設置された換気装置２０ｄの換気量を、第１の規定量である必要量に設定する。これに対して、子供部屋に人が存在している場合、換気制御部５３０は、換気装置２０ｄの換気量を、子供部屋に設置された音センサ３１ｃによって検知された音に応じて制御する。
【００８１】
このように複数の換気エリアの換気量を調整すると、家屋Ｈ全体で換気量が不足するおそれがある。そのため、換気制御部５３０は、複数の換気エリアの換気量の和が第２の規定量よりも小さい場合、複数の換気エリアのうちの、人が存在していない少なくとも１つの換気エリアの換気量を増加させる。
【００８２】
第２の規定量は、家屋Ｈ全体で必要な換気量であって、単位時間当たりに家屋Ｈ内の半分の空気を入れ替える量である。言い換えると、換気制御部５３０は、家屋Ｈ全体での換気量が家屋Ｈ全体での必要量に達していない場合、人が存在していない少なくとも１つの換気エリアの換気量を優先的に増加させる。人が存在していない少なくとも１つの換気エリアの換気量は、上述したように第１の規定量に設定されているため、換気制御部５３０は、人が存在していない少なくとも１つの換気エリアの換気量を、第１の規定量よりも更に大きな量に設定する。
【００８３】
人が存在していない換気エリアを優先するのは、人が存在していなければ、快適性を考慮する必要が無いからである。換気制御部５３０は、在否判定部５２０による判定結果を参照して、人が存在していないと判定された少なくとも１つの換気エリアを換気する換気装置２０に、換気量を増加させる指令を送信する。これにより、家屋Ｈ全体での換気量を調整する。
【００８４】
図５に示した換気システム１の機能構成の説明に戻る。制御装置５０において、報知部５６０は、家屋Ｈ内における現在の換気状態を報知する。報知部５６０は、例えば図９に示す報知画像を、ユーザインタフェース５３の表示部５７に表示する。報知部５６０は、制御部５１が表示部５７と協働することによって実現される。報知部５６０は、報知手段として機能する。
【００８５】
図９に示すように、報知部５６０は、家屋Ｈ全体での現在の換気量を、ＬＥＤを点灯させることで報知する。現在の換気量の情報は、情報取得部５１０によって複数の換気装置２０のそれぞれから取得された換気量の和である。
【００８６】
また、報知部５６０は、換気システム１の運転モードが換気優先であるか生活優先であるかを報知する。運転モードが生活優先である場合、換気システム１は、上述した換気制御部５３０の換気制御処理を実行して、換気音による人の不快感を抑制する。これに対して運転モードが換気優先である場合、換気システム１は、人の快適性を考慮せずに換気を優先させる。操作者は、入力部５８を操作することで、換気優先と生活優先とのどちらかを選択することができる。
【００８７】
入力受付部５５０は、換気量を必要量に設定するか否かを切り替えるための第２の閾値Ｔｈ２の設定を受け付ける。操作者は、入力部５８を操作することで、うるさいと感じる音の大きさを入力することができる。入力受付部５５０は、このようにして入力された音の大きさを、第２の閾値Ｔｈ２として設定する。入力受付部５５０は、制御部５１が入力部５８と協働することによって実現される。入力受付部５５０は、入力受付手段として機能する。
【００８８】
報知部５６０は、図９に示すように、入力受付部５５０によって受け付けられた第２の閾値Ｔｈ２を、雑音閾値として表示部５７に表示する。操作者は、表示部５７に表示された雑音閾値を参照しながら、状況に応じて第２の閾値Ｔｈ２を最適な値に調整することができる。
【００８９】
図５に示した換気システム１の機能構成の説明に戻る。視聴装置４０（４０ａ，４０ｂ，…）は、機能的に、稼働情報送信部４１０を備える。稼働情報送信部４１０は、視聴装置４０が稼働しているか否かを示す稼働情報を、宅内ネットワークＮ１を介して制御装置５０に送信する。稼働情報送信部４１０によって送信された稼働情報は、制御装置５０の情報取得部５１０によって取得される。稼働情報送信部４１０は、視聴装置４０のＣＰＵが通信インタフェースと協働することによって実現される。稼働情報送信部４１０は、稼働情報送信手段として機能する。
【００９０】
換気装置２０（２０ａ，２０ｂ，…）は、機能的に、換気量計測部２１０と、換気情報送信部２２０と、エリア判定部２３０と、換気量調整部２４０と、を備える。これらの各機能は、制御部２１において、ＣＰＵが、ＲＯＭ又は記憶部２２に記憶されたプログラムを実行することによって実現される。
【００９１】
換気量計測部２１０は、換気量を計測する。換気量とは、換気装置２０によって単位時間当たりに換気される空気の量である。換気量計測部２１０は、例えば、換気部２５におけるファン又はモータの回転速度を計測することによって、或いは、換気部２５によって送風される空気の風量を風量センサで計測することによって、換気量を計測する。風量センサは、換気装置２０が備えていても良いし、家屋Ｈ内の適宜の場所に設置されていても良い。換気量計測部２１０は、制御部２１が換気部２５と協働するによって実現される。換気量計測部２１０は、換気量計測手段として機能する。
【００９２】
換気情報送信部２２０は、換気量計測部２１０によって計測された換気量を示す換気情報を、宅内ネットワークＮ１を介して制御装置５０に送信する。換気情報送信部２２０によって送信された換気情報は、制御装置５０の情報取得部５１０によって取得されて、エリア記憶部５９０に記憶される。換気情報送信部２２０は、制御部２１が通信部２４と協働することによって実現される。換気情報送信部２２０は、換気情報送信手段として機能する。
【００９３】
エリア判定部２３０は、自装置と換気エリア内に設定されている他の換気装置２０、センサ及び視聴装置４０を判定する。具体的に説明すると、エリア判定部２３０は、換気エリアを仕切る壁を越えられない程度のパワーで電波を放出する。他の換気装置２０、センサ又は視聴装置４０は、放出した電波を受信すると、電波を放出した換気装置２０に応答を送信する。エリア判定部２３０は、この応答が得られた他の換気装置２０、センサ又は視聴装置４０が、同じ換気エリア内に設定されていると判定する。
【００９４】
エリア判定部２３０によって判定された結果は、換気情報に含められて、換気情報送信部２２０によって制御装置５０に送信される。エリア判定部２３０は、制御部２１が通信部２４と協働することによって実現される。エリア判定部２３０は、エリア判定手段として機能する。
【００９５】
換気量調整部２４０は、制御装置５０の換気制御部５３０によって送信された換気量の制御指令を受信し、受信した制御指令に従って換気量を調整する。具体的に説明すると、換気量調整部２４０は、換気部２５におけるファンの回転速度を、換気制御部５３０によって指定された換気量に対応する速度に変更する。換気量調整部２４０は、制御部２１が通信部２４及び換気部２５と協働することによって実現される。換気量調整部２４０は、換気量調整手段として機能する。
【００９６】
以上のように構成された換気システム１の制御装置５０において実行される処理の流れについて、図１０及び図１１に示すフローチャートを参照して、説明する。
【００９７】
図１０は、第１の換気エリアであるＬＤＫに人が存在しているか否かを判定する在否判定処理の流れを示している。制御装置５０の制御部５１は、図１０に示す在否判定処理を、必要に応じて、又は予め定められた周期で定期的に、実行する。制御部５１は、在否判定処理を実行している間、在否判定部５２０として機能する。
【００９８】
図１０に示す在否判定処理において、制御部５１は、第１に、リビングに設置された人感センサ３３ａによって人の存在が検知されているか否かを判定する（ステップＳ１）。具体的に説明すると、制御部５１は、人感センサ３３ａから繰り返し送信された検知情報のうちの最新の検知情報が、人の存在を検知したことを示すものであるか否かを判定する。判定の結果、最新の検知情報が、人の存在を検知したことを示すものである場合に、人感センサ３３ａによって人の存在が検知されていると判定する。
【００９９】
人感センサ３３ａによって人の存在が検知されていないと判定した場合（ステップＳ１；ＮＯ）、制御部５１は、第２に、リビングに設置された視聴装置４０ａが稼働中であるか否かを判定する（ステップＳ２）。具体的に説明すると、制御部５１は、視聴装置４０ａから繰り返し送信された稼働情報のうちの最新の稼働情報が、視聴装置４０ａが稼働していることを示すものであるか否かを判定する。判定の結果、最新の稼働情報が、視聴装置４０ａが稼働していることを示すものである場合に、視聴装置４０ａが稼働中であると判定する。
【０１００】
視聴装置４０ａが稼働中であると判定した場合（ステップＳ２；ＹＥＳ）、及び、ステップＳ１において人感センサ３３ａによって人の存在が検知されていると判定した場合（ステップＳ１；ＹＥＳ）、制御部５１は、ＬＤＫに人が存在していると判定する（ステップＳ３）。言い換えると、制御部５１は、人感センサ３３ａによって人の存在が検知されている場合だけでなく、人感センサ３３ａによって人の存在が検知されていなくても、視聴装置４０ａが稼働中であれば、ＬＤＫに人が存在していると判定する。
【０１０１】
これに対して、ステップＳ２において視聴装置４０ａが稼働中でないと判定した場合（ステップＳ２；ＮＯ）、制御部５１は、ＬＤＫに人が存在していないと判定する（ステップＳ４）。言い換えると、制御部５１は、人感センサ３３ａによって人の存在が検知されておらず、且つ、視聴装置４０ａが稼働中でないと判定した場合に、ＬＤＫに人が存在していないと判定する。
【０１０２】
なお、第２の換気エリアである寝室には、人感センサ３３ｂが設置されているが、視聴装置４０は設置されていない。そのため、制御部５１は、上記在否判定処理におけるステップＳ２を省略する。また、第３の換気エリアである子供部屋には、視聴装置４０ｂが設置されているが、人感センサ３３は設置されていない。そのため、制御部５１は、上記在否判定処理におけるステップＳ１を省略する。更に、第４の換気エリアである浴室には、人感センサ３３も視聴装置４０も設置されていない。そのため、制御部５１は、浴室については上記在否判定処理を実行しない。
【０１０３】
図１１は、制御装置５０によって実行される換気制御処理の流れを示している。制御装置５０の制御部５１は、図１１に示す換気制御処理を、必要に応じて、又は予め定められた周期で定期的に実行する。制御部５１は、換気制御処理を実行している間、換気制御部５３０として機能する。
【０１０４】
換気制御処理を開始すると、制御部５１は、家屋Ｈ内の複数の換気エリアのうちから、換気量を制御する換気エリアを１つ選択する（ステップＳ１１）。以下、換気エリアとしてＬＤＫを選択した場合を例にとって、説明する。
【０１０５】
換気エリアとしてＬＤＫを選択すると、制御部５１は、第１に、ＬＤＫに人が存在しているか否かを判定する（ステップＳ１２）。ＬＤＫに人が存在しているか否かは、図１０に示した在否判定処理によって判定される。制御部５１は、ＬＤＫについて最後に実行した在否判定処理の結果を参照して、ＬＤＫに人が存在しているか否かを判定する。
【０１０６】
ＬＤＫに人が存在していると判定した場合（ステップＳ１２；ＹＥＳ）、制御部５１は、第２に、ＬＤＫにおける臭気の強さが第１の閾値Ｔｈ１より大きいか否かを判定する（ステップＳ１３）。ＬＤＫにおける臭気の大きさは、臭気センサ３２ａによって検知されて、エリア記憶部５９０に記憶されている。制御部５１は、ＬＤＫにおける臭気の強さを第１の閾値Ｔｈ１と比較して、人に不快感を与えるくらいに臭気が強いか否かを判定する。
【０１０７】
ＬＤＫに人が存在していないと判定した場合（ステップＳ１２；ＮＯ）、換気音による人への影響を考慮する必要は無い。そのため、制御部５１は、ＬＤＫに設置された換気装置２０ａ，２０ｂの換気量を必要量に設定する（ステップＳ１４）。具体的に説明すると、制御部５１は、宅内通信部５５及び宅内ネットワークＮ１を介して換気装置２０ａ，２０ｂに指令を送信し、換気量を必要量に設定させる。
【０１０８】
また、ＬＤＫに人が存在している場合であっても、ＬＤＫにおける臭気の強さが第１の閾値Ｔｈ１より大きいと判定した場合（ステップＳ１３；ＹＥＳ）、臭気によって人が不快に感じる可能性が高い。そのため、制御部５１は、この場合にも、ステップＳ１４において、ＬＤＫに設置された換気装置２０ａ，２０ｂの換気量を必要量に設定する。これにより、制御部５１は、換気音を抑制することよりも、換気エリアを十分に換気することを優先する。
【０１０９】
これに対して、ＬＤＫに人が存在しており、且つ、ＬＤＫにおける臭気の強さが第１の閾値Ｔｈ１より小さいと判定した場合（ステップＳ１３；ＮＯ）、制御部５１は、ＬＤＫにおける音の大きさを判定する処理に移行する。ＬＤＫにおける音の大きさは、音センサ３１ａによって検知されて、エリア記憶部５９０に記憶されている。
【０１１０】
具体的に説明すると、制御部５１は、ＬＤＫにおける音の大きさが第２の閾値Ｔｈ２より大きいか否かを判定する（ステップＳ１５）。第２の閾値Ｔｈ２は、音の大きさが騒がしいと感じるレベルであるか否かを判定するための閾値である。
【０１１１】
ＬＤＫにおける音の大きさが第２の閾値Ｔｈ２より大きい場合（ステップＳ１５；ＹＥＳ）、換気装置２０ａ，２０ｂの換気音は周囲の音と比較して小さいため、換気音が人に影響を与えることはほとんど無い。そのため、制御部５１は、処理をステップＳ１４に移行して、ＬＤＫに設置された換気装置２０ａ，２０ｂの換気量を必要量に設定する。
【０１１２】
これに対して、ＬＤＫにおける音の大きさが第２の閾値Ｔｈ２より小さい場合（ステップＳ１５；ＮＯ）、制御部５１は、更に、ＬＤＫにおける音の大きさが第３の閾値Ｔｈ３より小さいか否かを判定する（ステップＳ１６）。第３の閾値Ｔｈ３は、音の大きさが人によって意識されるレベルであるか否かを判定するための閾値である。
【０１１３】
ＬＤＫにおける音の大きさが第３の閾値Ｔｈ３より小さい場合（ステップＳ１６；ＹＥＳ）、ＬＤＫにおける音の中で、換気装置２０ａ，２０ｂの換気音の割合が大きくなる。そのため、制御部５１は、ＬＤＫに設置された換気装置２０ａ，２０ｂの換気量を最小量に設定する（ステップＳ１７）。これにより、換気音によって人が不快に感じることが抑制される。
【０１１４】
更に、ＬＤＫにおける音の大きさが第２の閾値Ｔｈ２より小さく、且つ、第３の閾値Ｔｈ３より大きい場合（ステップＳ１６；ＮＯ）、制御部５１は、換気装置２０ａ，２０ｂの換気量を、ＬＤＫにおける音の大きさに応じた量に設定する（ステップＳ１８）。具体的に説明すると、制御部５１は、ＬＤＫにおける音の中で換気音が支配的にならないように、換気装置２０ａ，２０ｂの換気量を、その換気音がＬＤＫにおける音の大きさよりも規定の大きさΔＬだけ小さくなる量に設定する。これにより、換気音によって人が不快に感じることが抑制される。
【０１１５】
制御部５１は、このようにステップＳ１４、ステップＳ１７又はステップＳ１８においてＬＤＫにおける換気量を設定すると、家屋Ｈ内における全ての換気エリアを選択したか否かを判定する（ステップＳ１９）。
【０１１６】
全ての換気エリアを選択していない場合（ステップＳ１９；ＮＯ）、制御部５１は、処理をステップＳ１１に戻し、ステップＳ１１において、選択していない新たな換気エリアを１つ選択する。例えば、ＬＤＫにおける換気量を制御した後、制御部５１は、次に換気量を制御する換気エリアとして、寝室、子供部屋又は浴室のうちから１つを選択する。そして、制御部５１は、選択した換気エリアについて、上述したステップＳ１２からステップＳ１８の処理を実行する。このようにして、制御部５１は、家屋Ｈ内における各換気エリアについて、各換気エリアに設置された換気装置２０の換気量を制御する。
【０１１７】
なお、換気エリアとして寝室又は子供部屋を選択した場合、寝室又は子供部屋には臭気センサ３２が設置されていないため、制御部５１は、ステップＳ１３の処理をスキップする。また、換気エリアとして浴室を選択した場合、浴室にはどのセンサも設置されていないため、制御部５１は、浴室に設置された換気装置２０ｅの換気量を、常に必要量に設定する。
【０１１８】
最終的に、全ての換気エリアを選択し終えると（ステップＳ１９；ＹＥＳ）、制御部５１は、家屋Ｈ全体での換気量が家屋Ｈ全体での必要量より小さいか否かを判定する（ステップＳ２０）。言い換えると、制御部５１は、複数の換気エリアのそれぞれで換気量を調整した結果、家屋Ｈ全体として換気量が不足している状態になっているか否かを判定する。
【０１１９】
家屋Ｈ全体での換気量が家屋Ｈ全体での必要量より小さい場合（ステップＳ２０；ＹＥＳ）、制御部５１は、人が不在の換気エリアから順に換気量を増加させる（ステップＳ２１）。具体的に説明すると、制御部５１は、家屋Ｈ全体での換気量が家屋Ｈ全体での必要量より小さい場合、ステップＳ１２で人が存在していないと判定された換気エリアの換気量を優先的に増加させる。その後、依然として家屋Ｈ全体での換気量が家屋Ｈ全体での必要量より小さい場合には、制御部５１は、人が存在している換気エリアの換気量も増加させる。
【０１２０】
これに対して、家屋Ｈ全体での換気量が家屋Ｈ全体での必要量以上である場合（ステップＳ２０；ＮＯ）、換気量を増加させる必要は無いため、制御部５１は、ステップＳ２１の処理をスキップする。以上により、図１１に示した換気制御処理は終了する。
【０１２１】
以上説明したように、実施の形態１に係る換気システム１は、換気エリアにおける臭気の強さと人の在否とのうちの少なくとも一方が特定の条件を満たしている場合、換気エリアにおける音の大きさに依らずに換気量を制御し、換気エリアにおける臭気の強さと人の在否とのうちの少なくとも一方が特定の条件を満たしていない場合、換気エリアにおける音の大きさに応じて換気量を制御する。音の大きさに応じて換気量を制御することで、換気エリアに居る人に換気音を意識させないようにすることができる。これにより、例えば換気音がうるさくてテレビの音が聞こえないといった、換気音による不快感を抑制することができる。これと共に、特定の条件が満たされた場合には、音の大きさに依らずに換気量を必要量に設定するため、換気量の不足も抑制することができる。
【０１２２】
特に、近年増加している気密性及び断熱性が高い建物は、通気性に優れないため、十分な換気を必要とする。実施の形態１に係る換気システム１は、このような建物において、換気音による不快感を抑制しつつ、十分に換気することができる。
【０１２３】
（実施の形態２）
次に、本発明の実施の形態２について説明する。
【０１２４】
図１２に、実施の形態２に係る換気システム１ａの機能的な構成を示す。換気システム１ａにおいて、制御装置５０ａは、機能的に、情報取得部５１０と、在否判定部５２０と、換気制御部５３０と、報知部５６０と、入力受付部５５０と、エリア記憶部５９０と、音識別部６１０と、予測部６２０と、優先度設定部６３０と、音記憶部６９０と、を備える。
【０１２５】
情報取得部５１０、在否判定部５２０、報知部５６０、入力受付部５５０及びエリア記憶部５９０は、実施形態１において制御装置５０に備えられていたものと同様である。また、換気装置２０、音センサ３１、臭気センサ３２、人感センサ３３、及び視聴装置４０は、実施の形態１における対応するものと同様である。これらの実施の形態１と同様の構成については、説明を省略する。
【０１２６】
音識別部６１０は、音センサ３１ａ〜３１ｃによって検知された、各換気エリアにおける音が、第１の種類の音であるか第２の種類の音であるかを識別する。第１の種類の音とは、人の声、音楽等のような、一般的に人が聞きたい音である。第１の種類の音には、例えば宅内での会話、テレビの音声及びオーディオプレイヤからの音楽が含まれる。第２の種類の音とは、騒音、雑音等のような、一般的に人が聞きたくない音である。第２の種類の音には、例えば宅内雑音、宅外雑音及び換気装置２０の換気音が含まれる。音識別部６１０は、制御部５１によって実現される。音識別部６１０は、音識別手段として機能する。
【０１２７】
音識別部６１０は、周知のアルゴリズムに基づいて、音センサ３１ａ〜３１ｃによって検知された音を解析する。具体的に説明すると、音識別部６１０は、検知された音の特徴を表す特徴量として、メル周波数ケプストラム係数（ＭＦＣＣ）を、単位時間区間毎に計算する。そして、音識別部６１０は、一般的な音声認識で利用される音響モデルである隠れマルコフモデル（ＨＭＭ）を利用して、各時間区間における特徴量が出力される元となった音の種類を確率的に推定する。これにより、音識別部６１０は、音センサ３１ａ〜３１ｃによって検知された音のそれぞれについて、第１の種類の音である確率が高い時間区間と、第２の種類の音である確率が高い時間区間と、を特定する。
【０１２８】
音記憶部６９０は、音識別部６１０によって識別された結果を示す情報を記憶する。具体的に説明すると、音記憶部６９０は、換気エリアにおける音が、第１の種類の音であるか第２の種類の音であるかを示す情報を、換気エリア毎に時系列順に記憶する。音記憶部６９０は、記憶部５２の記憶領域に構築される。音記憶部６９０は、音記憶手段として機能する。
【０１２９】
換気制御部５３０は、情報取得部５１０によって取得された第２の情報が特定の条件を満たしている場合、換気エリアを換気する換気装置２０の換気量を、予め規定された量である必要量に設定する。言い換えると、換気制御部５３０は、換気エリアにおける臭気の強さが第１の閾値Ｔｈ１より大きい場合、又は、換気エリアに人が存在している場合、実施の形態１と同様に、換気エリアにおける音の大きさに依らずに換気量を制御する。
【０１３０】
これに対して、第２の情報が特定の条件を満たしていない場合、換気制御部５３０は、換気エリアの音の大きさに応じて換気量を制御する。具体的に説明すると、換気制御部５３０は、換気エリアにおける音の大きさが第２の閾値Ｔｈ２より大きい場合には、換気量を必要量に設定し、音の大きさが第２の閾値Ｔｈ２より小さい場合には、音の大きさが小さくなるほど換気量を減少させる。
【０１３１】
換気エリアにおける音の大きさが第２の閾値Ｔｈ２より小さい場合、換気制御部５３０は、音識別部６１０による識別結果に応じて異なる手順で、換気装置２０の換気量を制御する。具体的に説明すると、換気制御部５３０は、音識別部６１０によって換気エリアにおける音が第１の種類の音であると識別されたときには、換気装置２０の換気量を、換気装置２０の換気に伴って生じる音の大きさが換気エリアにおける音の大きさよりも第１の大きさだけ小さくなる量に設定する。これに対して、換気制御部５３０は、音識別部６１０によって換気エリアにおける音が第２の種類の音であると識別されたときには、換気装置２０の換気量を、換気装置２０の換気に伴って生じる音の大きさが換気エリアにおける音の大きさよりも第２の大きさだけ小さくなる量に設定する。
【０１３２】
第２の大きさは、実施の形態１における規定の大きさΔＬと同じ値に設定される。言い換えると、換気エリアにおける音が第２の種類の音であると識別された場合、換気制御部５３０は、実施の形態１と同じ手順で換気量を制御する。これに対して、第１の大きさは、第２の大きさよりも大きい値に設定される。言い換えると、換気制御部５３０は、換気エリアにおける音が第１の種類の音であると識別された場合には、換気エリアにおける音が第２の種類の音であると識別された場合よりも、換気量を大きく減少させる。
【０１３３】
これは、人の会話、テレビの音声等、人にとって聞きたい音は、換気音によって妨げられずにクリアに聞こえる方が望ましいからである。換気制御部５３０は、人にとって聞きたい音が換気エリアに流れている場合には、換気量をより小さくすることで換気音を抑える。これにより、人にとって聞きたい音が換気音によって聞こえにくくなることを抑制する。
【０１３４】
予測部６２０は、複数の換気エリアのそれぞれについて、音記憶部６９０に記憶された音情報の履歴を参照して、現時点から規定時間Ｔ１後における第１の種類の音の大きさを予測する。規定時間Ｔ１は、例えば１時間又は２時間であって、予め設定されてＲＯＭ又は記憶部５２に記憶されている。
【０１３５】
図１３に、第１の換気エリアであるＬＤＫにおける第１の種類の音の大きさの時間変化を示す。図１３に示すグラフは、過去の複数の日における第１の種類の音の大きさを、時間帯別に積算したものである。例えば、毎週日曜日の夕方１９時に家族が食事をする場合、その時間帯に多くの会話がされるため、第１の種類の音は大きくなる。このように、第１の種類の音の大きさは、換気エリアにおける人の活動量の指標として用いることができる。予測部６２０は、第１の種類の音が大きくなる時間帯を予測することで、人の活動量が多い時間帯を予測する。予測部６２０は、制御部５１によって実現される。予測部６２０は、予測手段として機能する。
【０１３６】
人の活動量が多い時間帯では換気量を増やすことは見込めないため、必要量の空気を換気するためには、活動量が多くなる前に多くの量の空気を換気する必要がある。そのため、換気制御部５３０は、予測部６２０によって予測された第１の種類の音の大きさが、規定の閾値である第４の閾値Ｔｈ４より大きい場合、現時点から規定時間Ｔ１が経過するまでの間における換気量を増加させる。第４の閾値Ｔｈ４は、人の会話の大きさに相当する値に設定されて、予めＲＯＭ又は記憶部５２に記憶されている。
【０１３７】
例えば図１３では、時間帯Ｐ２と時間帯Ｐ４とにおいて、第１の種類の音の大きさが第４の閾値Ｔｈ４を上回っている。そのため、時間帯Ｐ２の直前の時間帯Ｐ１と時間帯Ｐ４の直前の時間帯Ｐ３とにおいて、換気制御部５３０は、上述した換気制御処理によって設定された量よりも換気量を増加させる。具体的に説明すると、上述した換気制御処理によって、換気エリアの換気量は、必要量、換気エリアにおける音の大きさに応じた量、又は、最小量に設定されている。換気制御部５３０は、このようにして設定された換気量を、更に予め定められた調整量ΔＭだけ増加させる。
【０１３８】
また、換気制御部５３０は、複数の換気エリアのそれぞれについて、現時点より前の期間における換気量の実績値と、現時点より後の期間における換気量の予測値と、に応じて、換気量を調整する。現時点より前の期間とは、具体的には、現時点の直前の期間であって、予め定められた時間長Ｔ２の期間である。現時点より前の期間における換気量の実績値は、換気装置２０によって実際に換気された量であって、換気装置２０の換気量計測部２１０によって計測される。また、現時点より後の期間とは、具体的には、現時点の直後の期間であって、予め定められた時間長Ｔ３の期間である。現時点より後の期間における換気量の予測値は、音記憶部６９０に記憶された音情報の履歴に基づいて予測される。
【０１３９】
換気制御部５３０は、複数の換気エリアのそれぞれについて、現時点より前の期間における換気量の実績値と現時点より後の期間における換気量の予測値との平均を、換気エリア毎の必要量と比較する。その結果、実績値と予測値との平均が必要量より小さい場合、換気制御部５３０は、換気量を増加させる。
【０１４０】
図１４に、第１の換気エリアであるＬＤＫにおける換気量の時間変化を示す。図１４に示すように、ＬＤＫにおける換気量は、期間Ｑ１において必要量よりも小さくなっている。この期間Ｑ１において、換気量の実績値と予測値との平均が必要量より小さくなったと判定した場合、換気制御部５３０は、換気量を徐々に増加させる。これにより、換気制御部５３０は、換気量が不足することが長期間続くことを回避する。また、換気量が必要量に達した後の期間Ｑ２では、換気制御部５３０は、換気量を必要量より大きくする。これにより、換気制御部５３０は、期間Ｑ１における換気量の不足分を期間Ｑ２における増加分で埋め合わせる。
【０１４１】
図１２に示した換気システム１ａの機能構成の説明に戻る。優先度設定部６３０は、音識別部６１０によって識別された結果に基づいて、複数の換気エリアのそれぞれに優先度を設定する。優先度とは、家屋Ｈ全体で換気量が不足している場合に、複数の換気エリアのうちのどの換気エリアの換気量を増加させるかを決めるための指標である。
【０１４２】
優先度設定部６３０は、音記憶部６９０に記憶された音情報の履歴を参照して、過去の予め定められた長さの期間における、音センサ３１によって第１の種類の音が検知された時間の長さを、複数の換気エリアのそれぞれについて計算する。そして、優先度設定部６３０は、第１の種類の音が検知された時間が長いほど、その換気エリアに高い優先度を設定する。例えば、ＬＤＫでの会話の頻度が高い場合、優先度設定部６３０は、ＬＤＫに高い優先度を設定する。このように、優先度は、各換気エリアにおける人の活動量を表している。優先度設定部６３０は、制御部５１によって実現される。優先度設定部６３０は、優先度設定手段として機能する。
【０１４３】
換気制御部５３０は、家屋Ｈ全体で換気量が不足している場合、優先度設定部６３０によって設定された優先度に従って、換気量を増加させる。第１に、換気制御部５３０は、複数の換気エリアの換気量の和が第２の規定量よりも小さい場合、複数の換気エリアのうちの、人が存在していない少なくとも１つの換気エリアの換気量を、予め定められた第１の量だけ増加させる。
【０１４４】
人が存在していない少なくとも１つの換気エリアの換気量を増加させた後、依然として複数の換気エリアの換気量の和が第２の規定量よりも小さい場合、換気制御部５３０は、第２に、優先度設定部６３０によって設定された優先度の順に換気量を増加させる。具体的に説明すると、換気制御部５３０は、複数の換気エリアの換気量の和が第２の規定量より大きくなるまで、複数の換気エリアのうちの、優先度が低い換気エリアから順に、換気量を予め定められた第２の量ずつ増加させる。
【０１４５】
このように、換気制御部５３０は、家屋Ｈ全体で換気量が不足している場合、まず人が存在していない換気エリアの換気量を増加させ、次に人の活動量が小さい換気エリアから順に換気量を増加させる。これにより、利用頻度が高い換気エリアの換気量を増加させることを可能な限り回避できるため、換気音によって人に不快感を与えることを抑制することにつながる。
【０１４６】
以上のように構成された換気システム１ａの制御装置５０ａにおいて実行される換気制御処理の流れについて、図１５に示すフローチャートを参照して、説明する。制御装置５０ａの制御部５１は、図１５に示す換気制御処理を、必要に応じて、又は予め定められた周期で定期的に実行する。
【０１４７】
換気制御処理を開始すると、制御部５１は、図１１に示したステップＳ１１からステップＳ１８の処理を実行する。具体的に説明すると、制御部５１は、複数の換気エリアのうちから１つを選択し、選択した換気エリアを換気する換気装置２０の換気量を、人の在否と臭気の強さと音の大きさとに応じて制御する。
【０１４８】
なお、ステップＳ１８では、制御部５１は、選択した換気エリアにおける音が第１の種類の音であるか第２の種類の音であるかに応じて異なる手順で換気量を制御する。具体的に説明すると、制御部５１は、換気エリアにおける音が第１の種類の音であると識別されたときには、換気音の大きさが換気エリアにおける音の大きさよりも第１の大きさだけ小さくなる量に、換気量を設定する。これに対して、制御部５１は、換気エリアにおける音が第２の種類の音であると識別されたときには、換気音の大きさが換気エリアにおける音の大きさよりも第２の大きさだけ小さくなる量に、換気量を設定する。
【０１４９】
このようにして換気量を制御すると、制御部５１は、音記憶部６９０に記憶された音情報の履歴を参照して、選択した換気エリアにおける現時点から規定時間Ｔ１後の第１の種類の音の大きさが、第４の閾値Ｔｈ４より大きいか否かを予測する（ステップＳ３１）。言い換えると、制御部５１は、規定時間Ｔ１後に、選択した換気エリアにおける人の活動量が大きくなることが予測されるか否かを判定する。
【０１５０】
現時点から規定時間Ｔ１後の第１の種類の音の大きさが、第４の閾値Ｔｈ４より大きいと予測した場合（ステップＳ３１；ＹＥＳ）、制御部５１は、選択した換気エリアの換気量を、予め定められた調整量ΔＭだけ増加させる（ステップＳ３２）。具体的に説明すると、制御部５１は、選択した換気エリアの換気量を、ステップＳ１１からステップＳ１８において設定された量よりも、更に増加させる。これにより、制御部５１は、人の活動量が大きくなって換気量を抑制することが求められる前に、前もって換気量を確保しておく。
【０１５１】
これに対して、現時点から規定時間後の第１の種類の音の大きさが、第４の閾値Ｔｈ４より小さいと予測した場合（ステップＳ３１；ＮＯ）、制御部５１は、ステップＳ３２の処理をスキップする。
【０１５２】
続いて、制御部５１は、選択した換気エリアの換気量の実績値と予測値とに応じて換気量を調整する（ステップＳ３３）。具体的に説明すると、制御部５１は、現時点より前の期間における換気量の実績値と現時点より後の期間における換気量の予測値との平均を、選択した換気エリアに必要な換気量と比較する。比較の結果、実績値と予測値との平均が必要な換気量より小さい場合、制御部５１は、換気量を増加させる。このように、制御部５１は、選択した換気エリアの換気量が大きく不足することがないように、実績値と予測値とに応じて換気量を動的に変更する。
【０１５３】
このようにして換気量を調整すると、制御部５１は、家屋Ｈ内における全ての換気エリアを選択したか否かを判定する（ステップＳ３４）。全ての換気エリアを選択していない場合（ステップＳ３４；ＮＯ）、制御部５１は、処理をステップＳ１１に戻し、ステップＳ１１において、選択していない新たな換気エリアを１つ選択する。そして、制御部５１は、選択した換気エリアについて、上述したステップＳ１２からステップＳ１８及びステップＳ３１からステップＳ３３の処理を実行する。このようにして、制御部５１は、家屋Ｈ内における各換気エリアについて、各換気エリアに設置された換気装置２０の換気量を制御する。
【０１５４】
最終的に、全ての換気エリアを選択し終えると（ステップＳ３４；ＹＥＳ）、制御部５１は、家屋Ｈ全体での換気量が家屋Ｈ全体での必要量より小さいか否かを判定する（ステップＳ３５）。言い換えると、制御部５１は、複数の換気エリアのそれぞれで換気量を調整した結果、家屋Ｈ全体として換気量が不足している状態になっているか否かを判定する。
【０１５５】
家屋Ｈ全体での換気量が家屋Ｈ全体での必要量より小さい場合（ステップＳ３５；ＹＥＳ）、制御部５１は、人が不在の換気エリアの換気量を増加させる（ステップＳ３６）。具体的に説明すると、制御部５１は、在否判定部５２０によって人が存在していないと判定された少なくとも１つの換気エリアの換気量を、第１の量だけ増加させる。
【０１５６】
人が不在の換気エリアの換気量を増加させると、制御部５１は、再度、家屋Ｈ全体での換気量が家屋Ｈ全体での必要量より小さいか否かを判定する（ステップＳ３７）。家屋Ｈ全体での換気量が家屋Ｈ全体での必要量より小さい場合（ステップＳ３７；ＹＥＳ）、制御部５１は、優先度が低い換気エリアから順に、換気量を増加させる（ステップＳ３８）。優先度は、音識別部６１０によって識別された結果に基づいて設定された、各換気エリアにおける人の活動量を表す指標である。制御部５１は、人の活動量が小さい換気エリアから順に、換気量を第２の量ずつ増加させる。これにより、利用頻度が高い換気エリアの換気量を増加させることを可能な限り回避することができる。
【０１５７】
これに対して、家屋Ｈ全体での換気量が家屋Ｈ全体での必要量以上であると判定した場合（ステップＳ３５；ＮＯ、ステップＳ３７；ＮＯ）、換気量を増加させる必要は無いため、制御部５１は、以降の処理をスキップする。以上により、図１５に示した換気制御処理は終了する。
【０１５８】
以上説明したように、実施の形態２に係る換気システム１ａは、換気エリアにおける音が、会話、音楽等の人にとって聞きたい音であるか、又は、騒音、雑音等の人にとって聞きたくない音であるかを識別する。そして、換気システム１ａは、換気エリアにおける音が人にとって聞きたい音である場合には、換気エリアにおける音が人にとって聞きたくない音である場合よりも、換気量を減少させる。また、換気システム１ａは、換気エリアにおける音が人にとって聞きたい音である場合に換気量が小さくなるように、人の活動量を予測して換気の時間を調整し、更に複数の換気エリアの間で換気の順序を調整する。このような結果、換気エリアに居る人は、換気音に妨げられずに、会話、音楽等の聞きたい音に集中することができ、快適性が向上する。
【０１５９】
（変形例）
以上、本発明の実施の形態を説明したが、本発明を実施するにあたっては、種々の形態による変形及び応用が可能である。
【０１６０】
例えば、上記実施の形態では、入力受付部５５０は、操作者が入力部５８を操作して入力した第２の閾値Ｔｈ２を受け付けた。しかしながら、入力受付部５５０は、操作者の音声の入力を受け付け、受け付けた音声の大きさを、第２の閾値Ｔｈ２と設定しても良い。或いは、制御装置５０，５０ａは、音を発するスピーカを備えており、第２の閾値Ｔｈ２を設定する際に、スピーカから発する音を徐々に大きくしても良い。この場合、操作者は、徐々に大きくなる音をうるさいと思った時点で入力部５８を操作する。そして、入力受付部５５０は、入力部５８が操作された時点で発せられていた音の大きさを、第２の閾値Ｔｈ２として設定する。
【０１６１】
上記実施の形態では、音識別部６１０は、音声認識の解析手法を用いて、各換気エリアにおける音が、第１の種類の音であるか第２の種類の音であるかを識別した。このとき、音識別部６１０は、非負値行列因子分解（ＮＭＦ）のようなスパース信号解析によって得られる情報を利用しても良い。また、長期的なスパンで音の種類を識別できれば良いので、音識別部６１０は、ブザー、警笛等の突発的な音については、識別の対象から除外しても良い。
【０１６２】
上記実施の形態では、制御装置５０ａが音識別部６１０を備えていた。しかしながら、本発明において、音センサ３１が音識別部６１０を備えており、音センサ３１によって検知された音が第１の種類の音であるか第２の種類の音であるかを、音センサ３１自身が識別しても良い。また、上記実施の形態では家屋Ｈの様々な場所に設置されていた音センサ３１と臭気センサ３２と人感センサ３３とのうちの少なくともいずれかを、換気装置２０、視聴装置４０又は制御装置５０，５０ａが備えていても良い。
【０１６３】
また、換気制御部５３０は、音識別部６１０が換気エリアにおける音が第１の種類の音であるか第２の種類の音であるかを識別する際に、この換気エリアを換気する換気装置２０を制御して、この換気エリアの換気を停止させても良い。換気を停止させることにより、宅外の騒音及び雑音が宅内に入ることを抑制できるため、音識別部６１０による識別の精度を高めることができる。
【０１６４】
上記実施の形態では、制御装置５０，５０ａは、表示部５７及び入力部５８を備えていた。しかしながら、本発明において、制御装置５０，５０ａは表示部５７及び入力部５８を備えておらず、制御装置５０，５０ａとは異なる外部の端末が、表示部５７及び入力部５８として機能しても良い。この場合、制御装置５０，５０ａは、宅内通信部５５により、Ｗｉ−Ｆｉ（登録商標）、Ｗｉ−ＳＵＮ（登録商標）、有線ＬＡＮ等を介して、端末と通信する。このような無線又は有線による通信を介して、制御装置５０，５０ａは、端末において入力された入力情報を端末から受信し、端末において表示する表示情報を端末に送信する。
【０１６５】
上記実施の形態では、制御装置５０，５０ａが家屋Ｈ内に設置されている場合について説明した。しかしながら、本発明において、制御装置５０，５０ａと同等の機能を有する装置を家屋Ｈ外に設置しても良い。図１６に、この場合の換気システム１ｂの例を示す。図１６に示す換気システム１ｂでは、家屋Ｈには、制御装置５０，５０ａの代わりにルータ９１が設置されている。ルータ９１は、宅外ネットワークＮ２を介してサーバ９０と通信する装置であって、例えばブロードバンドルータである。サーバ９０は、例えばクラウドコンピューティングにおけるリソースを提供するサーバである。宅外ネットワークＮ２は、例えばインターネット等の広域ネットワークである。この場合、ルータ９１とサーバ９０とが協調して制御装置５０，５０ａの役割を果たす。
【０１６６】
また、制御装置５０，５０ａの機能を換気装置２０が備えていても良い。図１７に、この場合の換気システム１ｃの例を示す。図１７に示す換気システム１ｃでは、複数の換気装置２０ａ，２０ｂ，…のうちの少なくとも１つが、換気部２５を含む本来的な機能に加えて、制御装置５０，５０ａの機能を備えている。制御装置５０，５０ａの機能を備えている換気装置２０は、音センサ３１、臭気センサ３２、人感センサ３３、視聴装置４０、及び他の換気装置２０と宅内ネットワークＮ１を介して通信し、上述した制御装置５０，５０ａの役割を果たす。
【０１６７】
上記実施の形態では、換気システム１，１ａ，１ｂ，１ｃが適用される対象として、家屋Ｈを例に挙げて説明した。しかしながら、本発明において、換気システム１，１ａ，１ｂ，１ｃが適用される対象は、家屋Ｈのような一般住宅であることに限らず、集合住宅、施設、ビル、工場等であっても良い。
【０１６８】
上記実施の形態では、制御装置５０，５０ａの制御部５１において、ＣＰＵがＲＯＭ又は記憶部５２に記憶されたプログラムを実行することによって、情報取得部５１０、在否判定部５２０、換気制御部５３０、入力受付部５５０、報知部５６０、音識別部６１０、予測部６２０及び優先度設定部６３０のそれぞれとして機能した。しかしながら、本発明において、制御部５１は、専用のハードウェアであってもよい。専用のハードウェアとは、例えば単一回路、複合回路、プログラム化されたプロセッサ、ＡＳＩＣ（Application Specific Integrated Circuit）、ＦＰＧＡ（Field-Programmable Gate Array）、これらの組み合わせ等である。制御部５１が専用のハードウェアである場合、各部の機能それぞれを個別のハードウェアで実現してもよいし、各部の機能をまとめて単一のハードウェアで実現してもよい。
【０１６９】
また、各部の機能のうち、一部を専用のハードウェアによって実現し、他の一部をソフトウェア又はファームウェアによって実現してもよい。このように、制御部５１は、ハードウェア、ソフトウェア、ファームウェア、又は、これらの組み合わせによって、上述の各機能を実現することができる。
【０１７０】
本発明に係る制御装置５０，５０ａの動作を規定する動作プログラムを既存のパーソナルコンピュータ又は情報端末装置等のコンピュータに適用することで、当該コンピュータを、本発明に係る制御装置５０，５０ａとして機能させることも可能である。
【０１７１】
また、このようなプログラムの配布方法は任意であり、例えば、ＣＤ−ＲＯＭ（Compact Disk ROM）、ＤＶＤ（Digital Versatile Disk）、ＭＯ（Magneto Optical Disk）、メモリカード等のコンピュータ読み取り可能な記録媒体に格納して配布してもよいし、インターネット等の通信ネットワークを介して配布してもよい。
【０１７２】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、請求の範囲によって示される。そして請求の範囲内及びそれと同等の発明の意義の範囲内で施される様々な変形が、この発明の範囲内とみなされる。
【産業上の利用可能性】
【０１７３】
本発明は、換気システム等に好適に採用され得る。
【符号の説明】
【０１７４】
１，１ａ，１ｂ，１ｃ  換気システム、２０，２０ａ，２０ｂ，２０ｃ，２０ｄ，２０ｅ  換気装置、２１  制御部、２２  記憶部、２３  計時部、２４  通信部、２５  換気部、２９  バス、３１，３１ａ，３１ｂ，３１ｃ  音センサ、３２，３２ａ，３２ｂ  臭気センサ、３３，３３ａ，３３ｂ  人感センサ、４０，４０ａ，４０ｂ  視聴装置、５０，５０ａ  制御装置、５１  制御部、５２  記憶部、５３  ユーザインタフェース、５４  計時部、５５  宅内通信部、５６  宅外通信部、５７  表示部、５８  入力部、５９  バス、９０  サーバ、９１  ルータ、２１０  換気量計測部、２２０  換気情報送信部、２３０  エリア判定部、２４０  換気量調整部、４１０  稼働情報送信部、５１０  情報取得部、５２０  在否判定部、５３０  換気制御部、５５０  入力受付部、５６０  報知部、５９０  エリア記憶部、６１０  音識別部、６２０  予測部、６３０  優先度設定部、６９０  音記憶部、Ｈ  家屋、Ｎ１  宅内ネットワーク、Ｎ２  宅外ネットワーク
【図１】
0006701381.tif 000002
【図２】
0006701381.tif 000003
【図３】
0006701381.tif 000004
【図４】
0006701381.tif 000005
【図５】
0006701381.tif 000006
【図６】
0006701381.tif 000007
【図７】
0006701381.tif 000008
【図８】
0006701381.tif 000009
【図９】
0006701381.tif 000010
【図１０】
0006701381.tif 000011
【図１１】
0006701381.tif 000012
【図１２】
0006701381.tif 000013
【図１３】
0006701381.tif 000014
【図１４】
0006701381.tif 000015
【図１５】
0006701381.tif 000016
【図１６】
0006701381.tif 000017
【図１７】
0006701381.tif 000018